(57)【特許請求の範囲】
【請求項１】
光学フィルムと、前記光学フィルムの少なくとも片面に積層された粘着剤層と、前記光学フィルムと前記粘着剤層との間に介在される下塗り層とを備え、
前記粘着剤層は、
炭素数が４〜１８のアルキル基を有する（メタ）アクリル酸アルキルエステル、カルボキシル基含有ビニルモノマーおよびリン酸基含有ビニルモノマーを必須成分として含有し、前記必須成分と共重合可能な共重合性ビニルモノマーを任意成分として含有するモノマー成分を、前記モノマー成分１００重量部に対して、前記（メタ）アクリル酸アルキルエステルが６０〜９９重量部であり、前記カルボキシル基含有ビニルモノマー、前記リン酸基含有ビニルモノマーおよび前記共重合性ビニルモノマーの総量が１〜４０重量部であり、前記モノマー成分中、カルボキシル基濃度が０．０５〜１．５０ミリモル／ｇ、かつ、リン酸基濃度が０．０１〜０．４５ミリモル／ｇとなるように調製して重合させることにより得られる共重合体と、
粘土鉱物とを、
前記共重合体１００重量部に対して、前記粘土鉱物が０．５〜１０重量部となるように含有する粘着剤組成物からなり、
前記下塗り層は、オキサゾリン基含有ポリマーと水溶性または水分散性導電材料との混合物を含んでいる、あるいは、水溶性または水分散性導電性材料である有機金属化合物を含んでいることを特徴とする、粘着型光学フィルム。
【請求項２】
前記粘着剤組成物が、さらに、前記共重合体１００重量部に対して、リン酸塩系分散剤０．１〜５重量部および／またはポリカルボン酸塩系分散剤０．１〜５重量部を含有していることを特徴とする、請求項１に記載の粘着型光学フィルム。
【請求項３】
前記粘着剤組成物が、前記リン酸塩系分散剤および／または前記ポリカルボン酸塩系分散剤が配合された水に、前記粘土鉱物を水分散して得られる水分散液と、前記共重合体の水分散液とを配合して得られることを特徴とする、請求項２に記載の粘着型光学フィルム。
【請求項４】
前記モノマー成分１００重量部に対して、前記カルボキシル基含有ビニルモノマーが０．５〜１５重量部、前記リン酸基含有ビニルモノマーが０．５〜２０重量部、前記共重合性ビニルモノマーが３９重量部以下であることを特徴とする、請求項１〜３のいずれかに記載の粘着型光学フィルム。
【請求項５】
前記粘着剤組成物が、前記モノマー成分１００重量部に対して、前記共重合性ビニルモノマーとしてアルコキシシリル基含有ビニルモノマーを０．００１〜１重量部含有していることを特徴とする、請求項１〜４のいずれかに記載の粘着型光学フィルム。
【請求項６】
前記粘着剤組成物が、水分散型であることを特徴とする、請求項１〜５のいずれかに記載の粘着型光学フィルム。
【請求項７】
前記粘土鉱物が、スメクタイトであることを特徴とする、請求項１〜６のいずれかに記載の粘着型光学フィルム。
【請求項８】
前記粘土鉱物が、有機化処理された粘土鉱物を含むことを特徴とする、請求項１〜７のいずれかに記載の粘着型光学フィルム。
【請求項９】
有機化処理された前記粘土鉱物が、親水性官能基を有する有機カチオンで有機化処理されていることを特徴とする、請求項８に記載の粘着型光学フィルム。
【請求項１０】
前記親水性官能基を有する前記有機カチオンが、水酸基を有する４級アンモニウム塩であることを特徴とする、請求項９に記載の粘着型光学フィルム。
【請求項１１】
前記下塗り層が、オキサゾリン基含有ポリマーと、複数のカルボキシル基を含有する化合物と、水溶性または水分散性導電材料との混合物を含んでいることを特徴とする、請求項１〜１０のいずれかに記載の粘着型光学フィルム。
【請求項１２】
前記水溶性または水分散性導電材料が、導電ポリマーであることを特徴とする、請求項１〜１１のいずれかに記載の粘着型光学フィルム。
【請求項１３】
前記導電ポリマーが、ポリアニリンおよび／またはポリチオフェンであることを特徴とする、請求項１２に記載の粘着型光学フィルム。
【請求項１４】
前記有機金属化合物が、有機ジルコニウム化合物、有機チタン化合物および有機アルミニウム化合物からなる群から選ばれる少なくとも１種であることを特徴とする、請求項１〜１３のいずれかに記載の粘着型光学フィルム。
【請求項１５】
請求項１〜１４のいずれかに記載の粘着型光学フィルムを少なくとも１枚用いたことを特徴とする、画像表示装置。
【発明の詳細な説明】
【技術分野】
【０００１】
本発明は、粘着型光学フィルムおよび画像表示装置に関する。
【背景技術】
【０００２】
従来より、偏光フィルム、位相差フィルム、輝度向上フィルム、視野角拡大フィルムなどの光学フィルムが、各種産業用途に用いられており、例えば、液晶ディスプレイ、有機エレクトロルミネセンス装置（有機ＥＬ表示装置）、プラズマディスプレイパネル（ＰＤＰ）などの画像表示装置に貼着して用いられている。
【０００３】
このような光学フィルムとして、光学フィルムに粘着剤を積層した粘着型光学フィルムが知られている。粘着型光学フィルムには、通常、溶媒として有機溶剤を使用する溶剤型粘着剤が用いられている。
【０００４】
一方、近年、環境負荷の観点から、有機溶剤の使用を低減することが望まれており、溶剤型粘着剤から、分散媒として水を使用する水分散型粘着剤への転換が望まれている。
【０００５】
このような水分散型粘着剤として、例えば、共重合体エマルジョンを含む感圧接着剤組成物であって、共重合体が、共重合体全体に対して１０〜５０重量％のメタクリル酸２−エチルヘキシルが共重合されており、かつ、共重合体のガラス転移温度が−２５℃以下である感圧性接着剤組成物が提案されている（例えば、特許文献１参照。）。
【０００６】
しかし、上記のような特許文献１を含む従来の水分散型粘着剤は、ポリオレフィンなどの疎水性被着体に対する接着性が改善されるものの、ガラスなどの親水性被着体に対する接着性が特に低く、画像表示装置などのガラス基板に強固に接着することが困難であるという不具合がある。
【０００７】
そこで、透明性を有し、ガラスに適用できる水分散型粘着剤として、アクリル酸ブチル、アクリル酸および３−メタクリロイルオキシプロピルトリメトキシシランを乳化重合して得られるアクリル系共重合体の水分散体と、スメクタイト系層状粘土鉱物の水分散液とを混合して得られる水分散型アクリル系粘着剤組成物が提案されている（例えば、特許文献２参照。）。
【特許文献１】特開２００１−２５４０６３号公報
【特許文献２】特開２００６−３１６０８５号公報
【発明の開示】
【発明が解決しようとする課題】
【０００８】
しかし、特許文献２に記載される水分散型アクリル系粘着剤組成物は、ガラスに対する接着性を確保できるものの、高温雰囲気下における接着性（耐熱接着性）が若干低く、そのため、光学フィルムに適用するには、限界がある。
【０００９】
本発明の目的は、光学フィルムとの密着性が高く、しかも、耐熱性や耐湿性を有し、透明性に優れる粘着剤組成物、その粘着剤組成物からなる粘着剤層を備えた粘着型光学フィルムおよびこれを用いた画像表示装置を提供することにある。
【課題を解決するための手段】
【００１０】
上記の目的を達成するために、本発明の粘着剤組成物は、炭素数が４〜１８のアルキル基を有する（メタ）アクリル酸アルキルエステル、カルボキシル基含有ビニルモノマーおよびリン酸基含有ビニルモノマーを必須成分として含有し、前記必須成分と共重合可能な共重合性ビニルモノマーを任意成分として含有するモノマー成分を、前記モノマー成分１００重量部に対して、前記（メタ）アクリル酸アルキルエステルが６０〜９９重量部であり、前記カルボキシル基含有ビニルモノマー、前記リン酸基含有ビニルモノマーおよび前記共重合性ビニルモノマーの総量が１〜４０重量部であり、前記モノマー成分中、カルボキシル基濃度が０．０５〜１．５０ミリモル／ｇ、かつ、リン酸基濃度が０．０１〜０．４５ミリモル／ｇとなるように調製して重合させることにより得られる共重合体と、粘土鉱物とを、前記共重合体１００重量部に対して、前記粘土鉱物が０．５〜１０重量部となるように含有することを特徴としている。
【００１１】
また、本発明の粘着剤組成物は、さらに、前記共重合体１００重量部に対して、リン酸塩系分散剤０．１〜５重量部および／またはポリカルボン酸塩系分散剤０．１〜５重量部を含有していることが好適である。
【００１２】
また、本発明の粘着剤組成物では、前記モノマー成分１００重量部に対して、前記カルボキシル基含有ビニルモノマーが０．５〜１５重量部、前記リン酸基含有ビニルモノマーが０．５〜２０重量部、前記共重合性ビニルモノマーが３９重量部以下であることが好適である。
【００１３】
また、本発明の粘着剤組成物では、前記モノマー成分１００重量部に対して、前記共重合性ビニルモノマーとしてアルコキシシリル基含有ビニルモノマーを０．００１〜１重量部含有していることが好適である。
【００１４】
また、本発明の粘着剤組成物は、水分散型であることが好適である。
【００１５】
また、本発明の粘着剤組成物では、前記粘土鉱物が、スメクタイトであることが好適である。
【００１６】
また、本発明の粘着剤組成物では、前記粘土鉱物が、有機化処理された粘土鉱物を含むことが好適である。
【００１７】
また、本発明の粘着剤組成物では、有機化処理された前記粘土鉱物が、親水性官能基を有する有機カチオンで有機化処理されていることが好適である。
【００１８】
また、本発明の粘着剤組成物では、前記親水性官能基を有する前記有機カチオンが、水酸基を有する４級アンモニウム塩であることが好適である。
【００１９】
また、本発明の粘着剤組成物は、前記リン酸塩系分散剤および／または前記ポリカルボン酸塩系分散剤が配合された水に、前記粘土鉱物を水分散して得られる水分散液と、前記共重合体の水分散液とを配合して得られることが好適である。
【００２０】
また、本発明の粘着型光学フィルムは、光学フィルムと、前記光学フィルムの少なくとも片面に積層された粘着剤層と、前記光学フィルムと前記粘着剤層との間に介在される下塗り層とを備え、前記粘着層は、上記した粘着剤組成物からなることを特徴としている。
【００２１】
また、本発明の粘着型光学フィルムでは、前記下塗り層は、オキサゾリン基含有ポリマーを含んでいることが好適である。
【００２２】
また、本発明の粘着型光学フィルムでは、前記下塗り層は、水溶性または水分散性導電材料を含んでいることが好適である。
【００２３】
また、本発明の粘着型光学フィルムでは、前記下塗り層は、オキサゾリン基含有ポリマーと複数のカルボキシル基を含有する化合物との混合物を含んでいることが好適である。
【００２４】
また、本発明の粘着型光学フィルムでは、前記下塗り層は、オキサゾリン基含有ポリマーと水溶性または水分散性導電材料との混合物を含んでいることが好適である。
【００２５】
また、本発明の粘着型光学フィルムでは、前記下塗り層は、オキサゾリン基含有ポリマーとポリアミン系ポリマーとの混合物を含んでいることが好適である。
【００２６】
また、本発明の粘着型光学フィルムでは、前記下塗り層が、オキサゾリン基含有ポリマーと、複数のカルボキシル基を含有する化合物と、水溶性または水分散性導電材料との混合物を含んでいることが好適である。
【００２７】
また、本発明の粘着型光学フィルムでは、前記水溶性または水分散性導電材料が、導電ポリマーであることが好適である。
【００２８】
また、本発明の粘着型光学フィルムでは、前記導電ポリマーが、ポリアニリンおよび／またはポリチオフェンであることが好適である。
【００２９】
また、本発明の粘着型光学フィルムでは、前記水溶性または水分散性導電材料が、有機金属化合物であることが好適である。
【００３０】
また、本発明の粘着型光学フィルムでは、前記有機金属化合物が、有機ジルコニウム化合物、有機チタン化合物および有機アルミニウム化合物からなる群から選ばれる少なくとも１種であることが好適である。
【００３１】
また、本発明の画像表示装置は、上記した粘着型光学フィルムを少なくとも１枚用いたことを特徴としている。
【発明の効果】
【００３２】
本発明の粘着剤組成物から形成される粘着剤層は、光学フィルムとの密着力が高いため、その粘着剤層を備える本発明の粘着型光学フィルムでは、光学フィルムと基板との強固な接着を達成することができる。
【００３３】
また、本発明の粘着型光学フィルムは、透明性に優れている。さらに、高い耐熱性や耐湿性を有するので、高温雰囲気下や高湿雰囲気下における基板との優れた接着力を得ることができる。
【００３４】
そのため、本発明の粘着型光学フィルムが用いられている本発明の画像表示装置は、良好な外観を得ることができ、しかも、高い耐熱性や耐湿性を実現することができる。
【発明を実施するための最良の形態】
【００３５】
本発明の粘着剤組成物は、モノマー成分を調製して重合させることにより得られる共重合体と、粘土鉱物とを含有している。
【００３６】
モノマー成分は、（メタ）アクリル酸アルキルエステル、カルボキシル基含有ビニルモノマーおよびリン酸基含有ビニルモノマーを必須成分として含有し、必須成分と共重合可能な共重合性ビニルモノマーを任意成分として含有している。
【００３７】
（メタ）アクリル酸アルキルエステルは、例えば、炭素数が１〜１８で直鎖状または分岐状のアルキル基を有する（メタ）アクリル酸アルキルエステル（メタクリル酸アルキルエステルおよび／またはアクリル酸アルキルエステル）、好ましくは、炭素数が４〜１８で直鎖状または分岐状のアルキル基を有する（メタ）アクリル酸アルキルエステルである。炭素数が４〜１８のアルキル基を有する（メタ）アクリル酸アルキルエステルとしては、例えば、（メタ）アクリル酸ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸ネオペンチル、（メタ）アクリル酸イソアミル、（メタ）アクリル酸ヘキシル、（メタ）アクリル酸へプチル、（メタ）アクリル酸オクチル、（メタ）アクリル酸２−エチルへキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルなどが挙げられる。好ましくは、アクリル酸ブチルが挙げられる。これら（メタ）アクリル酸アルキルエステルは、単独使用または２種以上併用することができる。
【００３８】
（メタ）アクリル酸アルキルエステルの配合割合は、モノマー成分１００重量部に対して、６０〜９９重量部、好ましくは、７０〜９９重量部、さらに好ましくは、８０〜９９重量部である。
【００３９】
カルボキシル基含有ビニルモノマーは、熱架橋させるための架橋点（カルボキシル基）を導入して、粘着剤層（後述）の基板に対する接着性の向上を図るためのビニルモノマーであって、分子内にカルボキシル基を有するビニルモノマーである。カルボキシル基含有ビニルモノマーとしては、例えば、（メタ）アクリル酸、フマル酸、マレイン酸、イタコン酸、クロトン酸、ケイ皮酸などの不飽和カルボン酸、例えば、イタコン酸モノメチル、イタコン酸モノブチル、２−アクリロイルオキシエチルフタル酸などの不飽和ジカルボン酸モノエステル、例えば、２−メタクリロイルオキシエチルトリメリット酸、２−メタクリロイルオキシエチルピロメリット酸などの不飽和トリカルボン酸モノエステル、例えば、カルボキシエチルアクリレート（β−カルボキシエチルアクリレートなど）、カルボキシペンチルアクリレートなどのカルボキシアルキルアクリレートなどが挙げられる。
【００４０】
また、カルボキシル基含有ビニルモノマーとしては、例えば、無水イタコン酸、無水マレイン酸、無水フマル酸などの不飽和ジカルボン酸無水物なども挙げられる。
【００４１】
これらカルボキシル基含有ビニルモノマーは、単独使用または２種以上併用することができる。
【００４２】
これらカルボキシル基含有ビニルモノマーのうち、好ましくは、アクリル酸やカルボキシエチルアクリレートなどが挙げられる。
【００４３】
カルボキシル基含有ビニルモノマーのカルボキシル基濃度は、モノマー成分中、０．０５〜１．５０ミリモル／ｇ、好ましくは、０．２０〜０．９０ミリモル／ｇである。カルボキシル基含有ビニルモノマーのカルボキシル基濃度を、上記した範囲にするには、カルボキシル基含有ビニルモノマーの分子量にもよるが、カルボキシル基含有ビニルモノマーの配合割合を、モノマー成分１００重量部に対して、例えば、０．４〜４１重量部、好ましくは、１．４〜２５重量部に設定する。また、カルボキシル基含有ビニルモノマーの配合割合は、モノマー成分１００重量部に対して、上記したカルボキシル基濃度の範囲内で、例えば、０．５〜１５重量部、好ましくは、０．５〜１０重量部に設定することもできる。上記した範囲より少ないと、重合時の安定性および粘着剤組成物の凝集力が低下し、上記した範囲より多いと、粘着剤組成物の耐水性が低下する場合がある。
【００４４】
なお、カルボキシル基含有ビニルモノマーのカルボキシル基濃度は、下記式により算出される。
【００４５】
カルボキシル基濃度［ミリモル／ｇ］＝１０００×｛（カルボキシル基含有ビニルモノマーの配合重量［ｇ］）／（カルボキシル基含有ビニルモノマーの分子量［ｇ／モル］）｝／（モノマー成分重量［ｇ］）
このようなカルボキシル基含有ビニルモノマーがモノマー成分に含有されるので、下塗り層にオキサゾリン基含有ポリマーやポリアミン系ポリマーが含有される場合には、これらのオキサゾリン基やアミノ基と効率よく反応して、粘着剤層と光学フィルムとの密着力を高めることができる。
【００４６】
リン酸基含有ビニルモノマーは、例えば、下記一般式（１）で表されるポリアルキレンオキシド（メタ）アクリレートリン酸エステルであって、
【００４７】
【化１】
0005250307.tif 000002
【００４８】
（一般式（１）中、Ｒ１は、水素原子またはメチル基を、Ｒ２は、ポリオキシアルキレン基を、Ｘは、リン酸基またはその塩を示す。）
Ｒ２で示されるポリオキシアルキレン基としては、下記一般式（２）で表され、
【００４９】
【化２】
0005250307.tif 000003
【００５０】
（一般式（２）中、ｎは１〜４の整数、ｍは２以上の整数を示す。）
例えば、ポリオキシエチレン基（一般式（２）中、ｎ＝２に相当。）、ポリオキシプロピレン基（一般式（２）中、ｎ＝３に相当。）およびこれらのランダム、ブロックまたはグラフトユニットなどが挙げられ、これらオキシアルキレン基の重合度、すわわち、一般式（２）中、ｍは、好ましくは、４以上、通常４０以下が挙げられる。
【００５１】
また、Ｘで示されるリン酸基またはその塩は、下記一般式（３）で表され、
【００５２】
【化３】
0005250307.tif 000004
【００５３】
（一般式（３）中、Ｍ１およびＭ２は、それぞれ独立に、水素原子またはカチオンを示す。）
カチオンとしては、特に制限されず、例えば、ナトリウム、カリウムなどのアルカリ金属、例えば、カルシウム、マグネシウムなどのアルカリ土類金属などの無機カチオン、例えば、４級アミン類などの有機カチオンなどが挙げられる。
【００５４】
また、リン酸基含有ビニルモノマーは、一般に市販されているものを用いることができ、例えば、Ｓｉｐｏｍｅｒ  ＰＡＭ−１００（ローディア日華社製）、Ｐｈｏｓｍｅｒ  ＰＥ（ユニケミカル社製）、Ｐｈｏｓｍｅｒ  ＰＥＨ（ユニケミカル社製）、Ｐｈｏｓｍｅｒ  ＰＥＤＭ（ユニケミカル社製）などのモノ［ポリ（エチレンオキシド）メタクリレート］リン酸エステル、例えば、Ｓｉｐｏｍｅｒ  ＰＡＭ−２００（ローディア日華社製）、Ｐｈｏｓｍｅｒ  ＰＰ（ユニケミカル社製）、Ｐｈｏｓｍｅｒ  ＰＰＨ（ユニケミカル社製）、Ｐｈｏｓｍｅｒ  ＰＰＤＭ（ユニケミカル社製）などのモノ［ポリ（プロピレンオキシド）メタクリレート］リン酸エステルなどが挙げられる。
【００５５】
これらリン酸基含有ビニルモノマーは、単独使用または２種以上併用することができる。
【００５６】
リン酸基含有ビニルモノマーのリン酸基濃度は、モノマー成分中、０．０１〜０．４５ミリモル／ｇ、好ましくは、０．０２〜０．２０ミリモル／ｇである。リン酸基含有ビニルモノマーのリン酸基濃度を、上記した範囲にするには、リン酸基含有ビニルモノマーの分子量にもよるが、リン酸基含有ビニルモノマーの配合割合を、モノマー成分１００重量部に対して、例えば、０．４〜２２重量部、好ましくは、０．８〜１０重量部に設定する。また、リン酸基含有ビニルモノマーの配合割合は、モノマー成分１００重量部に対して、上記したリン酸基濃度の範囲内で、例えば、０．５〜２０重量部、好ましくは、０．５〜１０重量部に設定することもできる。上記した範囲より少ないと、耐熱接着性（高温雰囲気下における接着性）が低下し、上記した範囲より多いと、重合時の安定性が低下したり、粘着剤組成物の弾性率が過度に高くなることにより接着性が低下する場合がある。
【００５７】
なお、リン酸基含有ビニルモノマーのリン酸基濃度は、下記式により算出される。
【００５８】
リン酸基濃度［ミリモル／ｇ］＝１０００×｛（リン酸基含有ビニルモノマーの配合重量［ｇ］）／（リン酸基含有ビニルモノマーの分子量［ｇ／モル］）｝／（モノマー成分重量［ｇ］）
共重合性ビニルモノマーとしては、例えば、カルボキシル基含有ビニルモノマー以外の官能基含有ビニルモノマーが挙げられる。
【００５９】
そのような官能基含有ビニルモノマーとしては、例えば、酢酸ビニル、プロピオン酸ビニルなどのカルボン酸ビニルエステル、例えば、アクリル酸２−ヒドロキシエチル、アクリル酸２−ヒドロキシプロピル、アクリル酸２−ヒドロキシブチルなどの水酸基含有ビニルモノマー、例えば、（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−ブチル（メタ）アクリルアミド、Ｎ−メトキシメチル（メタ）アクリルアミド、Ｎ−メチロール（メタ）アクリルアミド、Ｎ−メチロールプロパン（メタ）アクリルアミド、Ｎ−ビニルカルボン酸アミドなどのアミド基含有不飽和モノマー、例えば、（メタ）アクリル酸アミノエチル、（メタ）アクリル酸Ｎ，Ｎ−ジメチルアミノエチル、（メタ）アクリルｔ−ブチルアミノエチルなどのアミノ基含有不飽和モノマー、例えば、（メタ）アクリル酸グリシジル、（メタ）アクリル酸メチルグリシジルなどのグリシジル基含有不飽和モノマー、例えば、アクリロニトリル、メタクリロニトリルなどのシアノ基含有不飽和モノマー、例えば、２−メタクリロイルオキシエチルイソシアネートなどのイソシアネート基含有不飽和モノマー、例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有不飽和モノマー、例えば、Ｎ−シクロヘキシルマレイミド、Ｎ−イソプロピルマレイミド、Ｎ−ラウリルマレイミド、Ｎ−フェニルマレイミドなどのマレイミド系モノマー、例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー、例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミドなどのスクシンイミド系モノマー、例えば、（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマーなどが挙げられる。
【００６０】
さらに、上記した官能基含有ビニルモノマーとしては、多官能性モノマーが挙げられる。
【００６１】
多官能性モノマーとしては、例えば、エチレングリコールジ（メタ）アクリレート、ジエチレングリコールジ（メタ）アクリレート、トリエチレングリコールジ（メタ）アクリレート、トリメチロールプロパントリ（メタ）アクリレート、テトラエチレングリコールジ（メタ）アクリレートなどの（モノまたはポリ）エチレングリコールジ（メタ）アクリレートや、プロピレングリコールジ（メタ）アクリレートなどの（モノまたはポリ）プロピレングリコールジ（メタ）アクリレートなどの（モノまたはポリ）アルキレングリコールジ（メタ）アクリレートの他、ネオペンチルグリコールジ（メタ）アクリレート、１,
６−ヘキサンジオールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレートなどの多価アルコールの（メタ）アクリル酸エステルモノマー、例えば、ジビニルベンゼンなどが挙げられる。また、多官能性モノマーとして、エポキシアクリレート、ポリエステルアクリレート、ウレタンアクリレートなども挙げられる。
【００６２】
また、共重合性ビニルモノマーとしては、上記した官能基含有ビニルモノマーの他に、例えば、スチレン、ビニルトルエンなどの芳香族系ビニルモノマー、例えば、シクロペンチルジ（メタ）アクリレート、（メタ）アクリル酸シクロヘキシル、（メタ）アクリル酸ボルニル、（メタ）アクリル酸イソボルニルなどの（メタ）アクリル酸脂環式炭化水素エステル、例えば、（メタ）アクリル酸フェニルなどの（メタ）アクリル酸アリールエステル、例えば、（メタ）アクリル酸メトキシエチル、（メタ）アクリル酸エトキシエチルなどのアルコキシ基含有不飽和モノマー、例えば、エチレン、プロピレン、イソプレン、ブタジエン、イソブチレンなどのオレフィン系モノマー、例えば、ビニルエーテルなどのビニルエーテル系モノマー、例えば、塩化ビニルなどのハロゲン原子含有不飽和モノマー、その他、例えば、Ｎ−ビニルピロリドン、Ｎ−（１−メチルビニル）ピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、（メタ）アクリル酸テトラヒドロフルフリルなどのビニル基含有複素環化合物、例えば、フッ素（メタ）アクリレートなどの、フッ素原子などのハロゲン原子を含有するアクリル酸エステル系モノマーなどが挙げられる。
【００６３】
さらにまた、共重合性ビニルモノマーとしては、アルコキシシリル基含有ビニルモノマーが挙げられる。アルコキシシリル基含有ビニルモノマーとしては、例えば、シリコーン系（メタ）アクリレートモノマーや、シリコーン系ビニルモノマーなどが挙げられる。
【００６４】
シリコーン系（メタ）アクリレートモノマーとしては、例えば、（メタ）アクリロイルオキシメチル−トリメトキシシラン、（メタ）アクリロイルオキシメチル−トリエトキシシラン、２−（メタ）アクリロイルオキシエチル−トリメトキシシラン、２−（メタ）アクリロイルオキシエチル−トリエトキシシラン、３−（メタ）アクリロイルオキシプロピル−トリメトキシシラン、３−（メタ）アクリロイルオキシプロピル−トリエトキシシラン、３−（メタ）アクリロイルオキシプロピル−トリプロポキシシラン、３−（メタ）アクリロイルオキシプロピル−トリイソプロポキシシラン、３−（メタ）アクリロイルオキシプロピル−トリブトキシシランなどの（メタ）アクリロイルオキシアルキル−トリアルコキシシラン、例えば、（メタ）アクリロイルオキシメチル−メチルジメトキシシラン、（メタ）アクリロイルオキシメチル−メチルジエトキシシラン、２−（メタ）アクリロイルオキシエチル−メチルジメトキシシラン、２−（メタ）アクリロイルオキシエチル−メチルジエトキシシラン、３−（メタ）アクリロイルオキシプロピル−メチルジメトキシシラン、３−（メタ）アクリロイルオキシプロピル−メチルジエトキシシラン、３−（メタ）アクリロイルオキシプロピル−メチルジプロポキシシラン、３−（メタ）アクリロイルオキシプロピル−メチルジイソプロポキシシラン、３−（メタ）アクリロイルオキシプロピル−メチルジブトキシシラン、３−（メタ）アクリロイルオキシプロピル−エチルジメトキシシラン、３−（メタ）アクリロイルオキシプロピル−エチルジエトキシシラン、３−（メタ）アクリロイルオキシプロピル−エチルジプロポキシシラン、３−（メタ）アクリロイルオキシプロピル−エチルジイソプロポキシシラン、３−（メタ）アクリロイルオキシプロピル−エチルジブトキシシラン、３−（メタ）アクリロイルオキシプロピル−プロピルジメトキシシラン、３−（メタ）アクリロイルオキシプロピル−プロピルジエトキシシランなどの（メタ）アクリロイルオキシアルキル−アルキルジアルコキシシランや、これらに対応する（メタ）アクリロイルオキシアルキル−ジアルキル（モノ）アルコキシシランなどが挙げられる。
【００６５】
また、シリコーン系ビニルモノマーとしては、例えば、ビニルトリメトキシシラン、ビニルトリエトキシシラン、ビニルトリプロポキシシラン、ビニルトリイソプロポキシシラン、ビニルトリブトキシシランなどのビニルトリアルコキシシランの他、これらに対応するビニルアルキルジアルコキシシランや、ビニルジアルキルアルコキシシラン、例えば、ビニルメチルトリメトキシシラン、ビニルメチルトリエトキシシラン、β−ビニルエチルトリメトキシシラン、β−ビニルエチルトリエトキシシラン、γ−ビニルプロピルトリメトキシシラン、γ−ビニルプロピルトリエトキシシラン、γ−ビニルプロピルトリプロポキシシラン、γ−ビニルプロピルトリイソプロポキシシラン、γ−ビニルプロピルトリブトキシシランなどのビニルアルキルトリアルコキシシランの他、これらに対応する（ビニルアルキル）アルキルジアルコキシシランや、（ビニルアルキル）ジアルキル（モノ）アルコキシシランなどが挙げられる。
【００６６】
これら共重合性ビニルモノマーは、単独使用または２種以上併用することができる。
【００６７】
これら共重合性ビニルモノマーのうち、好ましくは、アルコキシシリル基含有ビニルモノマーが挙げられる。
【００６８】
共重合性ビニルモノマーとしてアルコキシシリル基含有ビニルモノマーを用いることにより、ポリマー鎖にアルコキシシリル基が導入され、それら同士の反応により架橋構造を形成することができる。特に水分散型粘着剤組成物では、後述する架橋剤では不均一な架橋構造となるため、端末剥がれが起こり易くなる。しかし、アルコキシシリル基含有モノマーを用いると、均一な架橋構造を形成することができるため、基板への接着固定性を向上させることができる。また、アルコキシシリル基がガラス基板と相互作用して、ガラス基板との接着性を高めることができる。
【００６９】
共重合性ビニルモノマーは、必要により任意的に配合され、その配合割合は、モノマー成分１００重量部に対して、例えば、３９重量部以下、好ましくは、３０重量部以下、さらに好ましくは、２０重量部以下である。また、共重合性ビニルモノマーが、官能基含有ビニルモノマーである場合には、その配合割合は、モノマー成分１００重量部に対して、例えば、０．５〜１２重量部、好ましくは、１〜８重量部である。また、共重合性ビニルモノマーがアルコキシシリル基含有ビニルモノマーである場合には、その配合割合は、モノマー成分１００重量部に対して、例えば、０．００１〜１重量部、好ましくは、０．０１〜０．１重量部である。アルコキシシリル基含有ビニルモノマーが、上記した範囲より少ないと、アルコキシシリル基による架橋が不足して、接着剤組成物の凝集力の低下を招いたり、接着剤組成物と基板との接着性の向上が得られず、上記した範囲より多いと、重合時の安定性低下や接着性の低下を招く場合がある。
【００７０】
また、上記したモノマー成分のうち、上記したカルボキシル基含有ビニルモノマー、リン酸基含有ビニルモノマーおよび共重合性ビニルモノマーの総量は、その配合割合が、モノマー成分１００重量部に対して、１〜４０重量部、好ましくは、１〜３０重量部である。
【００７１】
そして、モノマー成分を重合させて共重合体を得るには、上記の配合割合で調製したモノマー成分を、例えば、乳化重合などの重合方法により、共重合する。
【００７２】
乳化重合では、例えば、上記したモノマー成分とともに、重合開始剤、乳化剤、必要に応じて連鎖移動剤などを、水中において配合して共重合する。より具体的には、例えば、一括仕込み法（一括重合法）、モノマー滴下法、モノマーエマルション滴下法などの公知の乳化重合法を採用することができる。なお、モノマー滴下法では、連続滴下または分割滴下が選択される。反応条件などは、選択されるが、重合温度は、例えば、２０〜１００℃である。
【００７３】
なお、上記したモノマー成分への重合開始剤の配合の前に、または、配合しながら、あるいは、配合の後に、窒素置換によって、モノマー成分溶液中の溶存酸素濃度を低減することもできる。
【００７４】
重合開始剤としては、特に制限されず、乳化重合に通常使用される重合開始剤が用いられる。例えば、２，２’−アゾビスイソブチロニトリル、２，２’−アゾビス（２−メチルプロピオンアミジン）二硫酸塩、２，２’−アゾビス（２−メチルプロピオンアミジン）二塩酸塩、２，２’−アゾビス（２−アミジノプロパン）二塩酸塩、２，２’−アゾビス［Ｎ−（２−カルボキシエチル）−２−メチルプロピオンアミジン］水和物、２，２’−アゾビス（Ｎ，Ｎ’−ジメチレンイソブチルアミジン）、２，２’−アゾビス［２−（２−イミダゾリン−２−イル）プロパン］二塩酸塩などのアゾ系開始剤、例えば、過硫酸カリウム、過硫酸アンモニウムなどの過硫酸塩系開始剤、例えば、ベンゾイルパーオキサイド、ｔ−ブチルハイドロパーオキサイド、過酸化水素などの過酸化物系開始剤、例えば、フェニル置換エタンなどの置換エタン系開始剤、例えば、芳香族カルボニル化合物などのカルボニル系開始剤、例えば、過硫酸塩と亜硫酸水素ナトリウムとの組合せ、過酸化物とアスコルビン酸ナトリウムとの組合せなどのレドックス系開始剤などが挙げられる。
【００７５】
これら重合開始剤は、単独使用または２種以上併用することができる。これら重合開始剤のうち、好ましくは、アゾ系開始剤が用いられる。
【００７６】
重合開始剤の配合割合は、選択されるが、モノマー成分１００重量部に対して、例えば、０．０５〜１重量部である。
【００７７】
乳化剤としては、特に制限されず、乳化重合に通常使用される公知の乳化剤が用いられる。例えば、ラウリル硫酸ナトリウム、ラウリル硫酸アンモニウム、ドデシルベンゼンスルホン酸ナトリウム、ポリオキシエチレンラウリル硫酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウム、ポリオキシエチレンアルキルスルホコハク酸ナトリウムなどのアニオン系乳化剤、例えば、ポリオキシエチレンアルキルエーテル、ポリオキシエチレンアルキルフェニルエーテル、ポリオキシエチレン脂肪酸エステル、ポリオキシエチレンポリオキシプロピレンブロックポリマーなどのノニオン系乳化剤などが挙げられる。
【００７８】
また、これらアニオン系乳化剤やノニオン系乳化剤に、プロペニル基やアリルエーテル基などのラジカル重合性官能基（反応性基）が導入されたラジカル重合性（反応性）乳化剤（例えば、ＨＳ−１０（第一工業製薬社製））などが挙げられる。
【００７９】
これら乳化剤は、単独使用または２種以上併用することができる。また、乳化剤の配合割合は、モノマー成分１００重量部に対して、例えば、０．２〜１０重量部、好ましくは、０．５〜５重量部である。
【００８０】
連鎖移動剤は、必要により配合され、共重合体の分子量を調節するものであって、乳化重合に通常使用される連鎖移動剤が用いられる。例えば、１−ドデカンチオール、メルカプト酢酸、２−メルカプトエタノール、チオグリコール酸２−エチルへキシル、２，３−ジメチルカプト−１−プロパノールなどのメルカプタン類などが挙げられる。
【００８１】
これら連鎖移動剤は、単独使用または２種以上併用することができる。また、連鎖移動剤の配合割合は、モノマー成分１００重量部に対して、例えば、０．００１〜０．５重量部である。
【００８２】
そして、このような乳化重合によって、得られる共重合体を、エマルション、つまり、共重合体の水分散液として調製することができる。
【００８３】
なお、共重合体の水分散液は、例えば、上記したモノマー成分を、乳化重合以外の有機溶剤を使用しない方法によって重合した後に、上記した乳化剤により、水に分散させるようにして調製することもできる。
【００８４】
このような共重合体は、ゲル分率（エマルションの固形分のゲル分率）が、例えば、５０〜１００重量％、好ましくは、７０〜１００重量％である。ゲル分率が上記した値より低いと、共重合体の水分散液からなる水分散型粘着剤組成物を粘着型光学フィルムに適用して、高温高湿の雰囲気下で使用したときに、発泡や剥がれを生じる場合がある。
【００８５】
粘土鉱物としては、例えば、スメクタイト、すなわち、モンモリロン石群鉱物であって、層状構造を有するフィロ珪酸塩鉱物が挙げられる。スメクタイトとしては、例えば、モンモリロン石、マグネシアンモンモリロン石、テツモンモリロン石、テツマグネシアンモンモリロン石、バイデライト、アルミニアンバイデライト、ノントロン石、アルミニアンノントロナイト、サポー石（サポナイト）、アルミニアンサポー石、ヘクトライト、ソーコナイト、スチーブンサイトなどが挙げられる。これら粘土鉱物は、単独使用または２種以上併用することができる。
【００８６】
また、粘土鉱物は、好ましくは、有機化処理されており、有機化処理された部分を有している。有機化処理された部分は、結晶構造中、すなわち、層間の陽イオンをカチオン系分散剤などで疎水化（親油化）処理された部分である。
【００８７】
粘土鉱物の陽イオンは、交換性の陽イオンであり、例えば、層状の粘土鉱物の結晶層の表面に存在するナトリウムイオンやカルシウムイオンなどの金属カチオンである。
【００８８】
カチオン系分散剤としては、例えば、４級アンモニウム塩、４級ホスニウム塩などが挙げられ、好ましくは、４級アンモニウム塩が挙げられる。４級アンモニウム塩としては、アンモニウムイオン（ＮＨ４＋）の水素原子が、プロピレンオキサイド骨格、エチレンオキサイド骨格、アルキル骨格などに置換されたカチオンと、ハロゲン化物イオン（例えば、塩化物イオンなど）などのアニオンとの塩が挙げられる。また、カチオンは、好ましくは、末端に水酸基などの親水性官能基を有している。より具体的には、カチオン系分散剤として、末端に水酸基を有するプロピレンオキサイド骨格を有する４級アンモニウム塩が挙げられる。カチオン系分散剤は、単独使用または２種以上併用することができる。
【００８９】
このような有機化処理された部分を有する粘土鉱物は、通常、一般の市販品が用いられ、例えば、ルーセンタイトシリーズ（コープケミカル社製）が用いられ、より具体的には、ルーセンタイトＳＰＮ、ルーセンタイトＳＡＮ、ルーセンタイトＳＥＮ、ルーセンタイトＳＴＮなどが挙げられる。
【００９０】
粘土鉱物における有機化処理された部分の割合は、特に限定されず、例えば、８０〜２４０モルｅｑ．／１００ｇである。
【００９１】
粘土鉱物の陽イオンは、通常、親水性であるため、有機化（疎水化）処理部分を有することによって、粘土鉱物の層間に疎水性（親油性）を付与させて、粘土鉱物を膨潤させて、水中におけるゲル化を防止して、エマルションにおいて確実に分散させることができる。
【００９２】
粘土鉱物のサイズは、厚みが、例えば、１〜１００ｎｍ、長さ（最大長さ）が、５００ｎｍ以下、好ましくは、１００ｎｍ以下である。粘土鉱物の最大長さが上記範囲を超える場合には、透明性が低下する場合がある。
【００９３】
粘土鉱物（粘土成分、つまり、粘土鉱物において有機化処理された部分以外の部分）の配合割合は、共重合体（すなわち、エマルションの固形分）１００重量部に対して、０．５〜１０重量部、好ましくは、１〜８重量部、さらに好ましくは、１〜５重量部である。粘土鉱物の配合割合が上記した範囲を超える場合には、透明性が低下して、良好な外観を得ることができない。一方、粘土鉱物の配合割合が上記した範囲に満たない場合には、粘着剤層の基板に対する接着性の向上、とりわけ、高温高湿雰囲気下における接着性の向上を図ることができない。
【００９４】
粘土鉱物を粘着剤組成物に配合させることにより、粘着剤層の基板に対する接着性の向上、とりわけ、高温高湿雰囲気下における接着性の向上を図ることができる。
【００９５】
そして、本発明の粘着剤組成物を調製するには、共重合体と、粘土鉱物とを配合する。例えば、粘土鉱物の水分散液を調製し、そして、この粘土鉱物の水分散液と共重合体の水分散液とを混合する。
【００９６】
粘土鉱物の水分散液を調製するには、例えば、水、または、必要により分散剤が配合された水に、粘土鉱物を配合する。その後、分散機を用いて、粘土鉱物を水中に分散させる。
【００９７】
分散剤としては、粘土鉱物を水中に効率よく分散させるために配合され、例えば、高分子分散剤または低分子分散剤などが挙げられ、好ましくは、低分子分散剤が挙げられる。低分子分散剤であれば、凝集（２次凝集）した粘土鉱物の粒子間に入りやすく、粒子を解砕して効率よく分散できる。また、低分子分散剤であれば、粘土鉱物の粒子（１次粒子）にも吸着しやすいため、粒子に吸着した低分子分散剤間の斥力により、粘土鉱物の粒子同士の凝集を抑制できる。
【００９８】
低分子分散剤としては、例えば、アニオン系分散剤が挙げられ、好ましくは、リン酸塩系分散剤やポリカルボン酸塩系分散剤が挙げられる。
【００９９】
リン酸塩系分散剤としては、例えば、ナトリウムなどの金属カチオンと、リン酸とのリン酸塩であって、より具体的には、オルソリン酸ナトリウム、ピロリン酸ナトリウム（二リン酸ナトリウム）、トリポリリン酸ナトリウム（三リン酸ナトリウム）、テトラリン酸ナトリウム、ヘキサメタリン酸ナトリウム、ポリリン酸ナトリウム、リン酸三ナトリウム、リン酸二水素ナトリウムなどが挙げられる。好ましくは、ヘキサメタリン酸ナトリウムが挙げられる。これらリン酸塩系分散剤は、単独使用または２種以上併用することができる。
【０１００】
ポリカルボン酸塩系分散剤としては、例えば、ナトリウムなどの無機カチオン（金属カチオン）や、アンモニウムなどの有機カチオンと、カルボン酸とのカルボン酸塩の重合体であって、より具体的には、例えば、ポリ（メタ)アクリル酸ナトリウム、ポリ（メタ)アクリル酸アンモニウム、アクリル酸ナトリウム／マレイン酸ナトリウム共重合体、アクリル酸アンモニウム／マレイン酸アンモニウム共重合体などが挙げられる。これらポリカルボン酸塩系分散剤は、単独使用または２種以上併用することができる。
【０１０１】
ポリカルボン酸塩系分散剤は、水分散液または水溶液に調製されたときのカルボキシルアニオンの含有量は、例えば、４〜１０ミリモル／ｇ（ポリカルボン酸塩系分散剤の重量）である。なお、ポリカルボン酸塩系分散剤のカルボキシルアニオンの含有量は、中和滴定により求められる。
【０１０２】
また、ポリカルボン酸塩系分散剤の、２０℃における１％水溶液の表面張力は、例えば、７０ｍＮ／ｍ以上であり、通常、７３ｍＮ／ｍ以下である。
【０１０３】
これら分散剤は、単独使用または２種類以上併用することができる。
【０１０４】
分散剤として、リン酸塩系分散剤および／またはポリカルボン酸塩系分散剤を用いれば、分散装置によって分散された粘土鉱物の再凝集の発生を防止することができる。
【０１０５】
分散剤の配合割合は、分散剤がリン酸塩系分散剤である場合には、例えば、共重合体（エマルションの固形分）１００重量部に対して、例えば、０．１〜５重量部、好ましくは、０．３〜３重量部、さらに好ましくは、０．４〜２重量部、とりわけ好ましくは、０．５〜２重量部である。また、リン酸塩系分散剤の配合割合を、粘土鉱物１００重量部に対して、例えば、１〜２００重量部、好ましくは、２〜１００重量部、さらに好ましくは、３〜５０重量部に設定することもできる。リン酸塩系分散剤の配合割合が上記した範囲を超える場合には、粘土鉱物の分散性が低下する場合がある。一方、リン酸塩系分散剤の配合割合が上記した範囲に満たない場合には、分散安定性の効果が低下して、凝集物を発生する場合がある。
【０１０６】
また、分散剤がポリカルボン酸塩系分散剤である場合には、その配合割合は、例えば、共重合体（エマルションの固形分）１００重量部に対して、０．１〜５重量部、好ましくは、０．３〜３重量部、さらに好ましくは、０．４〜２重量部、とりわけ好ましくは、０．５〜２重量部である。また、ポリカルボン酸塩系分散剤の配合割合を、粘土鉱物１００重量部に対して、例えば、１〜２００重量部、好ましくは、２〜１００重量部、さらに好ましくは、３〜５０重量部に設定することもできる。ポリカルボン酸塩系分散剤の配合割合が上記した範囲を超える場合には、粘土鉱物の分散性が低下する場合がある。一方、ポリカルボン酸塩系分散剤の配合割合が上記した範囲に満たない場合には、分散安定性の効果が低下して、凝集物を発生する場合がある。
【０１０７】
分散機としては、例えば、超音波分散機、ホモミキサー、高圧ホモジナイザーなどの分散機が用いられる。
【０１０８】
そして、上記したように、粘土鉱物の水分散液と、共重合体の水分散液とを混合することにより、本発明の粘着剤組成物を、エマルション、つまり、水分散型粘着剤組成物として得ることができる。
【０１０９】
なお、粘着剤組成物には、例えば、粘度調整剤、架橋剤、必要に応じて、剥離調整剤、可塑剤、軟化剤、充填剤、着色剤（顔料、染料など）、老化防止剤、界面活性剤などの添加剤を、添加することができる。これら添加剤の配合割合は、特に制限されず、選択することができる。
【０１１０】
粘度調整剤としては、特に制限されず、例えば、アクリル系増粘剤などが挙げられる。
【０１１１】
架橋剤としては、例えば、イソシアネート系架橋剤、エポキシ系架橋剤、オキサゾリン系架橋剤、アジリジン系架橋剤、金属キレート系架橋剤などが挙げられる。なお、これら架橋剤は、特に制限されず、油溶性または水溶性の架橋剤が用いられる。これら架橋剤は、適宜、単独または併用して用いられ、その配合割合は、エマルションの固形分１００重量部に対して、例えば、０．１〜１０重量部である。
【０１１２】
以下、図１を参照して、本発明の粘着型光学フィルムの一実施形態である、粘着型光学フィルムの製造方法について、説明する。
【０１１３】
本発明の粘着型光学フィルムは、光学フィルム１と、光学フィルム１の少なくとも片面に積層された粘着剤層３と、光学フィルム１と粘着剤層３との間に介在される下塗り層２とを備えている。
【０１１４】
光学フィルム１としては、光学特性を有し、液晶ディスプレイなどに貼着されるフィルムであれば特に制限されず、例えば、偏光フィルム、位相差フィルム、輝度向上フィルム、視野角拡大フィルムなどが挙げられる。
【０１１５】
偏光フィルムとしては、偏光子の片面または両面に、透明保護フィルムが設けられたものが用いられる。
【０１１６】
偏光子としては、特に制限されず、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料などの二色性物質で染色し一軸延伸したものや、ポリビニルアルコールの脱水処理物やポリ塩化ビニルの脱塩酸処理物などポリエン系配向フィルムなどが挙げられる。好ましくは、ポリビニルアルコール系フィルムをヨウ素で染色して一軸延伸した偏光子が挙げられる。
【０１１７】
透明保護フィルムとしては、例えば、ポリエチレンテレフタレートやポリエチレンナフタレートなどのポリエステル系ポリマーフィルム、ジアセチルセルロースやトリアセチルセルロースなどのセルロース系ポリマーフィルム、ポリメチルメタクリレートなどのアクリル系ポリマーフィルム、ポリスチレンやアクリロニトリル・スチレン共重合体（ＡＳ樹脂）などのスチレン系ポリマーフィルム、ポリカーボネート系ポリマーフィルムなど挙げられる。また、ポリエチレン、ポリプロピレン、シクロまたはノルボルネン構造を有するポリオレフィン、エチレン・プロピレン共重合体などのポリオレフィン系ポリマーフィルム、塩化ビニル系ポリマーフィルム、ナイロン、芳香族ポリアミドなどのアミド系ポリマーフィルム、イミド系ポリマーフィルム、スルホン系ポリマーフィルム、ポリエーテルスルホン系ポリマーフィルム、ポリエーテルエーテルケトン系ポリマーフィルム、ポリフェニレンスルフィド系ポリマーフィルム、ビニルアルコール系ポリマーフィルム、塩化ビニリデン系ポリマーフィルム、ビニルブチラール系ポリマーフィルム、アリレート系ポリマーフィルム、ポリオキシメチレン系ポリマーフィルム、エポキシ系ポリマーフィルム、または上記したポリマーのブレンド物のフィルムなども挙げられる。
【０１１８】
透明保護フィルムは、アクリル系、ウレタン系、アクリルウレタン系、エポキシ系、シリコーン系などの熱硬化型、紫外線硬化型の樹脂の硬化層として形成することもできる。
【０１１９】
透明保護フィルムとしては、好ましくは、セルロース系ポリマーが挙げられる。透明保護フィルムの厚さは、特に制限されず、例えば、５００μｍ以下、好ましくは、１〜３００μｍ、さらに好ましくは、５〜２００μｍである。
【０１２０】
偏光子と透明保護フィルムとを接着処理するには、例えば、イソシアネート系接着剤、ポリビニルアルコール系接着剤、ゼラチン系接着剤、ビニル系接着剤、ラテックス系接着剤、水系ポリエステル接着剤などを用いて接着する。
【０１２１】
位相差フィルムとしては、高分子素材を一軸または二軸延伸処理してなる複屈折性フィルム、液晶ポリマーの配向フィルム、液晶ポリマーの配向層をフィルムにて支持したものなどが挙げられる。位相差フィルムの厚さは、特に制限されず、例えば、２０〜１５０μｍである。
【０１２２】
高分子素材としては、例えば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、またはこれらの二元系、三元系各種共重合体、グラフト共重合体、ブレンド物などが挙げられる。これら高分子素材は、延伸などにより配向物（延伸フィルム）となる。
【０１２３】
液晶性ポリマーとしては、例えば、液晶配向性を付与する共役性の直線状原子団（メソゲン）がポリマーの主鎖や側鎖に導入された主鎖型や側鎖型の各種のものなどが挙げられる。主鎖型の液晶性ポリマーとしては、例えば、屈曲性を付与するスペーサ部でメソゲン基を結合した構造であり、具体的には、ネマチック配向性のポリエステル系液晶性ポリマー、ディスコティックポリマーやコレステリックポリマーなどが挙げられる。側鎖型の液晶性ポリマーとしては、例えば、ポリシロキサン、ポリアクリレート、ポリメタクリレートまたはポリマロネートを主鎖骨格とし、側鎖として共役性の原子団からなるスペーサ部を介してネマチック配向付与性のパラ置換環状化合物単位からなるメソゲン部を有するものなどが挙げられる。これら液晶性ポリマーは、例えば、ガラス板上に形成したポリイミドやポリビニルアルコールなどの薄膜の表面をラビング処理したもの、酸化珪素を斜方蒸着したものなどの配向処理面上に液晶性ポリマーの溶液を展開して熱処理することにより得られる。
【０１２４】
また、位相差フィルムは、例えば、各種波長フィルムや液晶層の複屈折による着色や視野角などの拡大を目的としたもの、その他使用目的に応じて、位相差を有するものであってよく、２種以上の位相差フィルムを積層して位相差などの光学特性を制御したものなどであってもよい。
【０１２５】
輝度向上フィルムとしては、例えば、誘電体の多層薄膜や屈折率異方性が相違する薄膜フィルムの多層積層体など、所定偏光軸の直線偏光を透過して他の光は反射する特性を示すもの、コレステリック液晶ポリマーの配向フィルムやその配向液晶層をフィルム基材上に支持したものなど、左回りまたは右回りのいずれか一方の円偏光を反射して他の光は透過する特性を示すものなどが挙げられる。
【０１２６】
視野角拡大フィルムは、液晶ディスプレイの画面を、画面に垂直でなくやや斜めの方向から見た場合でも、画像が比較的鮮明にみえるように視野角を広げるためのフィルムであり、例えば、位相差フィルム、液晶ポリマーなどの配向フィルムや透明基材上に液晶ポリマーなどの配向層を支持したものなどが挙げられる。視野角拡大フィルムとして用いられる位相差フィルムには、面方向に二軸に延伸された複屈折を有するポリマーフィルムや、面方向に一軸に延伸され厚さ方向にも延伸された厚さ方向の屈折率を制御した複屈折を有するポリマーや傾斜配向フィルムのような二方向延伸フィルムなどが用いられる。
【０１２７】
そして、光学フィルム１の片面に、下塗り層２を設ける。なお、この説明において、下塗り層２は、光学フィルム１の片面に設けられるが、例えば、図１において図示しないが、必要により、光学フィルム１の両面に設けることもできる。
【０１２８】
下塗り層２は、例えば、オキサゾリン基含有ポリマー、複数のカルボキシル基を含有する化合物、水溶性または水分散性導電材料、および、ポリアミン系ポリマーからなる群から選択される少なくとも１種を含有している。
【０１２９】
オキサゾリン基含有ポリマーは、例えば、アクリル骨格またはスチレン骨格からなる主鎖を含み、その主鎖の側鎖にオキサゾリン基を有しているものであって、好ましくは、アクリル骨格からなる主鎖を含み、その主鎖の側鎖にオキサゾリン基を有しているオキサゾリン基含有アクリル系ポリマーが挙げられる。
【０１３０】
オキサゾリン基としては、例えば、２−オキサゾリン基、３−オキサゾリン基、４−オキサゾリン基などが挙げられ、好ましくは、２−オキサゾリン基が挙げられる。
【０１３１】
２−オキサゾリン基としては、一般に、下記一般式（４）で表される。
【０１３２】
【化４】
0005250307.tif 000005
【０１３３】
（一般式（４）中、Ｒ１２、Ｒ１３、Ｒ１４およびＲ１５は、それぞれ独立に、水素原子、ハロゲン原子、アルキル基、アラルキル基、フェニル基または置換フェニル基を示す。）
オキサゾリン基含有ポリマーは、その数平均分子量が、例えば、５０００以上、好ましくは、１００００以上であり、通常、１００００００以下が好ましい。数平均分子量が５０００より低いと、下塗り層２の強度が不足して凝集破壊を起こし、投錨力を向上できない場合がある。数平均分子量が１００００００より高いと、作業性に劣る場合がある。また、オキサゾリン基含有ポリマーは、そのオキサゾリン価が、例えば、１５００ｇ  ｓｏｌｉｄ／ｅｑ．以下、好ましくは、１２００ｇ  ｓｏｌｉｄ／ｅｑ．以下である。オキサゾリン価が１５００ｇ  ｓｏｌｉｄ／ｅｑ．より大きいと、分子中に含まれるオキサゾリン基の量が少なくなり、投錨力を向上できない場合がある。
【０１３４】
オキサゾリン基含有ポリマーは、通常、一般の市販品が用いられ、具体的には、エポクロスＷＳ−５００（水溶液タイプ、固形分４０％、主鎖：アクリル系、ｐＨ７〜９、オキサゾリン価２２０ｇ  ｓｏｌｉｄ／ｅｑ．、日本触媒社製）、エポクロスＷＳ−７００（水溶液タイプ、固形分２５％、主鎖：アクリル系、ｐＨ７〜９、オキサゾリン価２２０ｇ  ｓｏｌｉｄ／ｅｑ．、日本触媒社製）などのオキサゾリン基含有アクリル系ポリマー、例えば、エポクロスＫ−１０００シリーズ（エマルションタイプ、固形分４０％、主鎖：スチレン／アクリル系、オキサゾリン価１１００ｇ  ｓｏｌｉｄ／ｅｑ．、ｐＨ７〜９、日本触媒社製）、エポクロスＫ−２０００シリーズ（エマルションタイプ、固形分４０％、主鎖：スチレン／アクリル系、ｐＨ７〜９、オキサゾリン価５５０ｇ  ｓｏｌｉｄ／ｅｑ．、日本触媒社製）などのオキサゾリン基含有アクリル／スチレン系ポリマーなどが挙げられる。密着力を向上する観点からは、乳化剤を含むエマルションタイプよりも、水溶液タイプが好ましい。
【０１３５】
これらオキサゾリン基含有ポリマーは、単独使用または２種以上併用することができる。
【０１３６】
オキサゾリン基含有ポリマーは、オキサゾリン基が、粘着剤組成物が含んでいる官能基（カルボキシル基など）などと比較的低温で反応するため、オキサゾリン基含有ポリマーを下塗り層２に含ませた場合に、粘着剤層３中の官能基などと反応し、強固に密着することができる。
【０１３７】
複数のカルボキシル基を含有する化合物としては、例えば、コハク酸、アジピン酸、フタル酸などのジカルボン酸化合物、例えば、クエン酸などのトリカルボン酸化合物などの複数のカルボキシル基を含有する飽和の低分子化合物が挙げられる。
【０１３８】
また、複数のカルボキシル基を含有する化合物としては、高分子化合物であって、例えば、アクリル酸、メタクリル酸などの不飽和化合物の重合体（ポリアクリル酸、ポリメタクリル酸など）、例えば、これら不飽和化合物の共重合体、具体的には、アクリル酸およびメタクリル酸の共重合体、アクリル酸およびマレイン酸の共重合体、メタクリル酸およびマレイン酸の共重合体、アクリル酸、メタクリル酸およびマレイン酸の共重合体などが挙げられる。好ましくは、アクリル酸およびマレイン酸の共重合体が挙げられる。
【０１３９】
複数のカルボキシル基を含有する化合物は、その数平均分子量（ＧＰＣ測定、標準ポリエチレングリコール換算）が、例えば、１０００以上、好ましくは、３０００〜２０００００である。
【０１４０】
複数のカルボキシル基を含有する化合物は、通常、一般の市販品が用いられ、具体的には、ポイズ５３２Ａ（アクリル酸／マレイン酸共重合体アンモニウム塩、数平均分子量約１００００、花王社製）などが挙げられる。
【０１４１】
これら複数のカルボキシル基を含有する化合物は、単独使用または２種以上併用することができる。
【０１４２】
水溶性導電材料は、水溶性を示す導電材料であれば特に限定されず、水１００ｇに対する溶解度が、例えば、５ｇ以上、好ましくは、２０〜３０ｇである。水１００ｇに対する溶解度が５ｇ未満の場合には、工業的に塗膜を形成するのに支障をきたす場合がある。
【０１４３】
水分散性導電材料は、水中に分散することのできる微粒子状の導電材料であれば特に限定されず、その微粒子の平均粒子径（サイズ）が、下塗り層２の均一性の観点から、例えば、１μｍ以下である。なお、水分散性導電材料は、その水分散液（後述する塗布液に相当する。）の液粘度が小さく、下塗り層２を形成するための塗工（薄膜塗工）が容易であり、その上さらに、下塗り層２における水分散性導電材料の均一性に優れている。
【０１４４】
水溶性または水分散性導電材料としては、例えば、導電ポリマー、有機金属化合物などが挙げられる。
【０１４５】
導電ポリマーとしては、例えば、ポリアニリン、ポリチオフェン、ポリピロール、ポリキノキサリンなどが挙げられる。これらのうち、塗工性の観点から、好ましくは、ポリアニリンまたはポリチオフェンが挙げられる。
【０１４６】
ポリアニリンは、ＧＰＣ測定によるポリスチレン換算の重量平均分子量が、例えば、５０００００以下、好ましくは、３０００００以下である。ポリチオフェンは、ＧＰＣ測定によるポリスチレン換算の重量平均分子量が、例えば、４０００００以下、好ましくは、３０００００以下である。
【０１４７】
上記したポリアニリンまたはポリチオフェンの重量平均分子量が、上記した値を超える場合には、ポリアニリンまたはポリチオフェンは上記した水溶性および水分散性のいずれの性質も示さなくなり、かつ、このようなポリアニリンまたはポリチオフェンを含む塗布液を調製した場合には、塗布液中においてポリアニリンまたはポリチオフェンは、その固形分が一部残存し、または、その一部が高粘度化して、膜厚の均一な下塗り層２を形成することが困難になる傾向がある。
【０１４８】
また、このようなポリアニリンまたはポリチオフェンは、好ましくは、その分子内に親水性官能基を有している。
【０１４９】
親水性官能基としては、例えば、スルホ基、アミノ基、アミド基、イミノ基、４級アンモニウム塩基、ヒドロキシル基、メルカプト基、ヒドラジノ基、カルボキシル基、硫酸エステル基（−Ｏ−ＳＯ３Ｈ）、リン酸エステル基（−Ｏ−ＰＯ（ＯＨ）２）、または、これらの塩（４級アンモニウム塩基を除く）などが挙げられる。このような親水性官能基を分子内に有することにより、水に溶解しやすく、または、分散しやすくなり、ポリアニリンまたはポリチオフェンの塗布液を容易に調製することができる。
【０１５０】
このような水溶性または水分散性導電ポリマーは、一般に市販されているものを用いることができ、これらのうち、水溶性導電ポリマーとしては、例えば、ポリアニリンスルホン酸（三菱レーヨン社）などが挙げられ、水分散性導電ポリマーとしては、例えば、ポリチオフェン系導電ポリマー（ナガセケムテック社製、商品名「デナトロン」（デナトロンシリーズ））などが挙げられる。
【０１５１】
有機金属化合物としては、ポリマー架橋剤として用いられる、金属アルコキシド、金属キレート、有機金属塩、有機金属酸化物などであって、金属の種類により、例えば、有機ジルコニウム化合物、有機チタン化合物、有機アルミニウム化合物などが挙げられる。
【０１５２】
有機ジルコニウム化合物としては、例えば、ジルコニウムアルコキシド、ジルコニウムキレート、ジルコニウムアシレートなどが挙げられる。
【０１５３】
有機チタン化合物としては、例えば、チタンアルコキシド、チタンキレート、チタンアシレートなどが挙げられる。
【０１５４】
有機アルミニウム化合物としては、例えば、アルミニウムアルコキシド、アルミニウムキレート、アルミニウムアシレートなどが挙げられる。
【０１５５】
これら導電材料は、単独使用または２種以上併用することができる。
【０１５６】
ポリアミン系ポリマーは、分子内に複数の１級または２級アミノ基を有するポリマーであって、例えば、ポリエチレンイミン、ポリアリルアミン、その他に、アクリル骨格からなる主鎖を含み、その主鎖の側鎖に、下記一般式（５）で表されるポリエチレンイミン鎖や下記一般式（６）で表されるポリアリルアミン鎖が変性された、エチレンイミン変性アクリル系ポリマーやアリルアミン変性アクリル系ポリマーなどが挙げられる。好ましくは、エチレンイミン変性アクリル系ポリマーが挙げられる。
【０１５７】
【化５】
0005250307.tif 000006
【０１５８】
（一般式（５）中、ｘおよびｙは、ポリエチレンイミン鎖の重合度を示す。）
【０１５９】
【化６】
0005250307.tif 000007
【０１６０】
（一般式（６）中、ｚは、ポリアリルアミン鎖の重合度を示す。）
ポリアミン系ポリマーは、その数平均分子量が、例えば、２００以上、好ましくは、１０００以上、さらに好ましくは、８０００以上であり、通常１００００００以下である。数平均分子量が２００より小さいと、下塗り層２の強度が不足して、凝集破壊を起こし、投錨力を向上できない場合がある。数平均分子量が１００００００より大きいと、作業性に劣る場合がある。また、ポリアミン系ポリマーは、そのアミン水素当量が、例えば、１５００ｇ  ｓｏｌｉｄ／ｅｑ．以下、好ましくは、１２００ｇ  ｓｏｌｉｄ／ｅｑ．以下である。アミン水素当量が１５００ｇ  ｓｏｌｉｄ／ｅｑ．より大きいと、分子中に含まれるアミノ基の量が少なくなり、投錨力を向上できない場合がある。
【０１６１】
ポリアミン系ポリマーは、通常、一般の市販品が用いられ、具体的には、エポミンＳＰ−００３（水溶性タイプ、アミン水素当量４７．６ｇ  ｓｏｌｉｄ／ｅｑ．、日本触媒社製）、エポミンＳＰ−００６（水溶性タイプ、アミン水素当量５０．０ｇ  ｓｏｌｉｄ／ｅｑ．、日本触媒社製）、エポミンＳＰ−０１２（水溶性タイプ、アミン水素当量５２．６ｇ  ｓｏｌｉｄ／ｅｑ．、日本触媒社製）、エポミンＳＰ−０１８（水溶性タイプ、アミン水素当量５２．６ｇ  ｓｏｌｉｄ／ｅｑ．、日本触媒社製）、エポミンＳＰ−１０３（水溶性タイプ、アミン水素当量５２．６ｇ  ｓｏｌｉｄ／ｅｑ．、日本触媒社製）、エポミンＳＰ−１１０（水溶性タイプ、アミン水素当量５５．６ｇ  ｓｏｌｉｄ／ｅｑ．、日本触媒社製）、エポミンＳＰ−２００（水溶性タイプ、アミン水素当量５５．６ｇ  ｓｏｌｉｄ／ｅｑ．、日本触媒社製）、エポミンＰ−１０００（水溶性タイプ、アミン水素当量５２．６ｇ  ｓｏｌｉｄ／ｅｑ．、日本触媒社製）などのポリエチレンイミン、例えば、ポリメントＳＫ−１０００（エマルションタイプ、アミン水素当量６５０ｇ  ｓｏｌｉｄ／ｅｑ．、日本触媒社製）、ポリメントＮＫ−３５０（溶剤タイプ、アミン水素当量１１００ｇ  ｓｏｌｉｄ／ｅｑ．、日本触媒社製）、ポリメントＮＫ−３８０（溶剤タイプ、アミン水素当量１１００ｇ  ｓｏｌｉｄ／ｅｑ．、日本触媒社製）、ポリメントＮＫ−１００ＰＭ（水溶性タイプ、アミン水素当量３５０〜４５０ｇ  ｓｏｌｉｄ／ｅｑ．、日本触媒社製）、ポリメントＮＫ−２００ＰＭ（水溶性タイプ、アミン水素当量３５０〜４５０ｇ  ｓｏｌｉｄ／ｅｑ．、日本触媒社製）などのエチレンイミン変性アクリル系ポリマーなどが挙げられる。
【０１６２】
これらポリアミン系ポリマーは、単独使用または２種以上併用することができる。
【０１６３】
下塗り層２としては、好ましくは、オキサゾリン基含有ポリマーのみからなるもの、導電材料のみからなるもの、オキサゾリン基含有ポリマーおよび複数のカルボキシル基を含有する化合物の混合物からなるもの、オキサゾリン基含有ポリマーおよび導電材料の混合物からなるもの、オキサゾリン基含有ポリマー、複数のカルボキシル基を含有する化合物および導電材料の混合物からなるもの、オキサゾリン基含有ポリマーおよびポリアミン系ポリマーの混合物からなるものなどが挙げられる。
【０１６４】
下塗り層２がオキサゾリン基含有ポリマーおよび複数のカルボキシル基を含有する化合物の混合物からなっていれば、オキサゾリン基含有ポリマーのオキサゾリン基と、複数のカルボキシル基を含有する化合物のカルボキシル基とが反応することにより、下塗り層２が架橋されて、より強固な下塗り層２となることで、耐加熱性や耐湿熱性が高くなり、密着力を上昇させることができる。
【０１６５】
下塗り層２がオキサゾリン基含有ポリマーおよび導電材料の混合物からなっていれば、下塗り層２を帯電防止層として形成させることができながら、水分散型粘着剤組成物との親和性を良好にして、光学フィルムと水分散型粘着剤組成物との密着力を高めて、高い耐加熱性を有する粘着型光学フィルムを得ることができる。そのため、リワーク性が良好であり、高い耐加熱性および帯電防止機能を有する粘着型光学フィルムを得ることができる。
【０１６６】
下塗り層２がオキサゾリン基含有ポリマー、複数のカルボキシル基を含有する化合物および導電材料の混合物からなっていれば、下塗り層２を帯電防止層として形成させることができながら、オキサゾリン基含有ポリマーのオキサゾリン基と、複数のカルボキシル基を含有する化合物のカルボキシル基とが反応することにより、下塗り層２が架橋されて、より強固な下塗り層２となることで、耐加熱性や耐湿熱性が高くなり、密着力を上昇させることができる。
【０１６７】
下塗り層２がオキサゾリン基含有ポリマーおよびポリアミン系ポリマーの混合物からなっていれば、オキサゾリン基含有ポリマーのみからなる場合の高い密着力や耐加熱性を維持したまま、粘着型光学フィルムに高い耐湿熱性を付与することができ、高い密着力、耐加熱性および耐湿熱性を有する粘着型光学フィルムを得ることができる。
【０１６８】
下塗り層２がオキサゾリン基含有ポリマーおよび複数のカルボキシル基を含有する化合物の混合物からなる場合には、混合物の総量１００重量部に対する、複数のカルボキシル基を含有する化合物の配合割合が、例えば、１〜３０重量部、好ましくは、２〜２０重量部、さらに好ましくは、３〜１０重量部である。複数のカルボキシル基を含有する化合物が１重量部より少ないと、下塗り層２を架橋する効果が低下する場合がある。複数のカルボキシル基を含有する化合物が３０重量部より多いと、下塗り層２が白濁して、光学特性が低下する場合がある。
【０１６９】
下塗り層２がオキサゾリン基含有ポリマーおよび導電材料の混合物からなる場合には、オキサゾリン基含有ポリマーの配合割合が、導電材料１００重量部に対して、例えば、１０〜５００重量部、好ましくは、２０〜４００重量部である。
【０１７０】
下塗り層２がオキサゾリン基含有ポリマー、複数のカルボキシル基を含有する化合物および導電材料の混合物からなる場合には、混合物の総量１００重量部に対する、複数のカルボキシル基を含有する化合物の配合割合は、例えば、１〜３０重量部、好ましくは、２〜２０重量部、さらに好ましくは、３〜１０重量部である。また、オキサゾリン基含有ポリマーの配合割合と導電材料の配合割合とは、上記した下塗り層２がオキサゾリン基含有ポリマーおよび導電材料の混合物からなる場合における各成分の配合割合と同様である。
【０１７１】
下塗り層２がオキサゾリン基含有ポリマーおよびポリアミン系ポリマーの混合物からなる場合には、混合物の総量１００重量部に対する、ポリアミン系ポリマーの配合割合が、５０〜９８重量部、好ましくは、７０〜９７重量部、さらに好ましくは、８０〜９５重量部である。ポリアミン系ポリマーが５０重量部より少ないと、耐湿熱性に劣る場合がある。ポリアミン系ポリマーが９８重量部より多いと、耐加熱性に劣る場合がある。
【０１７２】
上記した各成分（オキサゾリン基含有ポリマー、複数のカルボキシル基を含有する化合物、導電材料もしくはポリアミン系ポリマー、または、これらの混合物）は、溶媒に、溶解または分散されており、各成分の溶液または分散液として調製されている。
【０１７３】
好ましくは、光学フィルムの変質を防止する観点から、各成分が、水に、溶解または分散されている、水溶液または水分散液（以下、これらを単に「塗布液」と総称する。）として調製されている。このような塗布液では、非水系である有機溶剤を用いる必要がなく、そのため有機溶剤による光学フィルム１の変質を抑制することができる。
【０１７４】
塗布液において、水の他に、さらに、水系溶媒としてアルコール類を含有させることができる。
【０１７５】
アルコール類としては、例えば、メタノール、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−エチル−１−ブタノール、ｎ−ヘキサノール、シクロヘキサノールなどが挙げられる。
【０１７６】
塗布液において、各成分の配合割合は、例えば、０．０５〜８０重量％、好ましくは、０．１〜５０重量％である。
【０１７７】
下塗り層２を設けるには、例えば、光学フィルム１に、上記した下塗り層の塗布液を、ナイフコーティング法などの公知のコーティング方法により、直接コーティングして乾燥する。
【０１７８】
下塗り層２の厚み（乾燥後厚み）は、例えば、１０〜１０００ｎｍ、好ましくは、２０〜５００ｎｍ、さらに好ましくは、３０〜２００ｎｍの範囲に設定される。
【０１７９】
なお、下塗り層２が導電材料を含んでいる、つまり、下塗り層２が帯電防止層として形成される場合には、その表面抵抗が、通常、好ましくは、１×１０１２Ω／□以下、さらに好ましくは、１×１０１１Ω／□以下、とりわけ好ましくは、１×１０１０Ω／□以下である。表面抵抗が、１×１０１２Ω／□を超える場合には、帯電防止機能が十分でない場合がある。
【０１８０】
次いで、光学フィルム１の少なくとも片面に、下塗り層２を介して、粘着剤層３を設ける。
【０１８１】
粘着剤層３を設けるには、例えば、上記した下塗り層２に、粘着剤層３が形成された離型シート４から、粘着剤層３を転写する。粘着剤層３が形成された離型シート４は、離型シート４にナイフコーティング法などの公知のコーティング方法により、上記した粘着剤組成物を直接コーティングする。その後、これを、例えば、８０〜１５０℃で、１〜１０分間加熱して乾燥することにより、粘着剤層３を離型シート４の上に設ける。また、粘着剤層３を転写するには、粘着剤層３が形成された離型シート４を、下塗り層２に、貼り合わせた後、粘着剤層３から離型シート４を引き剥がす。
【０１８２】
また、粘着剤層３を設けるには、例えば、上記した下塗り層２に、上記した粘着剤組成物をナイフコーティング法などの公知のコーティング方法により、直接コーティングし、その後、これを、例えば、８０〜１５０℃で、１〜１０分間加熱して、乾燥するようにすることもできる。
【０１８３】
離型シート４としては、紙、ポリエチレン、ポリプロピレン、ポリエチレンテレフタレートなどの合成樹脂フィルム、例えば、ゴムシート、布、不織布、ネット、発泡シートや金属箔、またこれら積層シート体などが挙げられる。離型シート４の表面には、粘着剤層３からの剥離性を高めるため、必要に応じて、シリコーン処理、長鎖アルキル処理、フッ素処理などの処理（剥離処理）がなされていてもよい。
【０１８４】
粘着剤層３の厚み（乾燥後厚み）は、例えば、１〜１００μｍ、好ましくは、５〜５０μｍ、さらに好ましくは、１０〜３０μｍの範囲に設定される。
【０１８５】
このように、光学フィルム１の少なくとも片面に、下塗り層２を介して、上記した粘着剤組成物から形成される粘着剤層３を設けることにより、粘着型光学フィルムを得ることができる。
【０１８６】
このようにして得られる粘着型光学フィルムは、偏光フィルム、位相差フィルム、輝度向上フィルム、視野角拡大フィルムなどの粘着型光学フィルムなどとして、各種産業用途に好適に用いられる。
【０１８７】
そして、この粘着型光学フィルムでは、粘着剤層３と液晶ディスプレイのガラス基板との接着力が高く、しかも、上記した粘着剤組成物から形成される粘着剤層３と光学フィルム１との密着力が高いため、光学フィルム１と基板との強固な接着を達成することができる。そのため、粘着型光学フィルムを取り扱う際の粘着剤欠けや粘着剤残りを有効に抑えることができる。
【０１８８】
また、液晶ディスプレイのガラス基板に接着する場合にも、高い接着性を有するので、ガラス基板へ粘着型光学フィルムを強固に接着することができる。
【０１８９】
また、この粘着型光学フィルムは、透明性に優れている。さらに、この粘着型光学フィルムは、高い耐熱性や耐湿性を有しているので、高温雰囲気下や高湿雰囲気下におけるガラス基板との優れた接着力を得ることができる。とりわけ、粘着剤層に大きな負荷を付与する比較的厚い光学フィルムを用いる場合でも、高温雰囲気下におけるガラス基板との優れた接着力を維持することができる。
【０１９０】
そのため、この粘着型光学フィルムを、液晶ディスプレイ、有機エレクトロルミネセンス装置（有機ＥＬ表示装置）、プラズマディスプレイパネル（ＰＤＰ）などの画像表示装置の基板の表面に、下塗り層２および粘着剤層３を介して貼着することにより、良好な外観を確保でき、高い耐熱性や耐湿性を有する画像表示装置を得ることができる。
【実施例】
【０１９１】
以下に実施例、参考例および比較例を挙げて、本発明をより具体的に説明する。ただし、本発明は、以下の実施例、参考例および比較例に何ら制限されるものではない。なお、以下の説明において、「部」および「％」は、特に明記のない限り、重量基準である。
【０１９２】
参考例１
（モノマープレエマルションの調製）
容器に、アクリル酸ブチル１００部、アクリル酸５部、モノ［ポリ（プロピレンオキシド）メタクリレート］リン酸エステル（ＰＡＭ−２００、プロピレンオキシドの平均重合度約５．０、ローディア日華社製）２部、３−メタクリロイルオキシプロピル−トリメトキシシラン（ＫＢＭ−５０３、信越化学社製）０．０１部を加えて混合して、モノマー成分を調製した。
【０１９３】
次いで、調製したモノマー成分６２７ｇに、反応性乳化剤アクアロンＨＳ−１０（第一工業製薬社）１３ｇ、イオン交換水３６０ｇを加え、ホモジナイザー（特殊機化社製）を用いて、５分間、５０００（１／ｍｉｎ）で、攪拌し強制乳化して、モノマープレエマルションを調製した。
（エマルションの調製）
冷却管、窒素導入管、温度計および攪拌機を備えた反応容器に、上記で調製したモノマープレエマルションのうちの２００ｇ、イオン交換水３００ｇを仕込み、次いで、反応容器を窒素置換し、２，２’−アゾビス［Ｎ−（２−カルボキシエチル）−２−メチルプロピオンアミジン］水和物（ＶＡ−０５７、和光純薬工業社製）０．２ｇを添加して、６０℃で、１時間重合した。次いで、残りのモノマープレエマルションのうちの８００ｇを、反応容器に３時間かけて滴下して、その後、３時間重合させた。その後、窒素置換しながら、さらに、６０℃で３時間重合し、固形分４８％のエマルション（共重合体の水分散液）を得た。
【０１９４】
その後、エマルションを室温まで冷却し、次いで、１０％アンモニア水を添加して、ｐＨを８に調整し、さらに、アクリル系増粘剤（アロンＢ−５００、東亞合成社製）３．０ｇを添加した。
（粘土鉱物の水分散液の調製）
イオン交換水９０部に、ヘキサメタリン酸ナトリウム（リン酸塩系分散剤、キシダ化学社製）０．５部を添加して溶解させた後、これに、ルーセンタイトＳＰＮ（末端に水酸基を有するプロピレンオキサイド骨格を有する４級アンモニウム塩（カチオン系分散剤）で、層間を１２０モルｅｑ．／１００ｇの割合で疎水化処理したスメクタイト。各層の最大理論長さ５０ｎｍ。粘土成分／カチオン系分散剤の含有割合＝４０部／６０部、コープケミカル社製）１０部を添加し、４８時間放置して、ルーセンタイトＳＰＮをイオン交換水に浸漬させて膨張させた。その後、ホモジナイザー（特殊機化社製）を用いて、１５分間、７０００（１／ｍｉｎ）で攪拌して分散させることにより、粘土鉱物の水分散液を調製した。
（水分散型粘着剤組成物の調製）
エマルション（ｐＨ調整および添加剤が添加されたエマルション）に、エマルションの固形分（共重合体）１００部に対して、粘土鉱物の水分散液における粘土鉱物（ルーセンタイトＳＰＮ）が１０部（粘土成分の含有重量が４部。）となるように、粘土鉱物の水分散液を混合させて、水分散型粘着剤組成物を調製した。
（光学フィルムの調製）
厚み８０μｍのポリビニルアルコールフィルムを、４０℃のヨウ素水溶液中で、元長の５倍に延伸し、その後、ポリビニルアルコールフィルムをヨウ素水溶液から引き上げ、５０℃で、４分間乾燥させて、厚み２０μｍの偏光子を得た。この偏光子の両面に、ポリビニルアルコール型接着剤を用いて、透明保護フィルムとして厚み４０μｍと厚み８０μｍとのトリアセチルセルロースフィルムをそれぞれ接着して、厚み１００μｍの薄型偏光フィルムと、厚み１８０μｍの標準型偏光フィルムとの２種類の光学フィルムを得た。
（下塗り層の形成）
エポクロスＷＳ−７００（オキサゾリン基含有アクリル系ポリマー、日本触媒社製）を、水／エタノール（重量比で、１：１）混合溶液で、固形分０．２５％となるように希釈し、下塗り層の塗布液を調製した。この塗布液を、ワイヤーバー＃５を用いて、２種類の光学フィルムの片面にそれぞれコーティングし、４０℃で２分間乾燥させて、下塗り層を形成した。
（粘着型光学フィルムの作製）
水分散型粘着剤組成物を、離型フィルム（ポリエチレンテレフタレート基材、ダイヤホイル  ＭＲＦ３８、三菱化学ポリエステル社製）上に、乾燥後厚みが２３μｍとなるようにコーティングした。その後、熱風循環式オーブンで、１００℃で、２分間乾燥させて、離型フィルム上に粘着剤層を形成した。これを予め下塗り層を設けた２種類の光学フィルムの処理面（下塗り層側の面）にそれぞれ貼着し、粘着型光学フィルムを作製した。
【０１９５】
参考例２
参考例１の水分散型粘着剤組成物の調製において、粘土鉱物の水分散液における粘土鉱物（ルーセンタイトＳＰＮ）を５部（粘土成分の含有重量が２部。）に変更した以外は、参考例１と同様にして水分散型粘着剤組成物を調製し、続いて、粘着型光学フィルムを作製した。
【０１９６】
参考例３
参考例１の粘土鉱物の水分散液の調製において、ヘキサメタリン酸ナトリウム１部に変更した以外は、参考例１と同様にして粘土鉱物の水分散液を調製し、次いで、水分散型粘着剤組成物を調製し、続いて、粘着型光学フィルムを作製した。
【０１９７】
参考例４
参考例１の下塗り層の形成における塗布液の調製において、エポクロスＷＳ−７００を、エポクロスＷＳ−７００と、ポイズ５３２Ａ（アクリル酸／マレイン酸共重合体アンモニウム塩、数平均分子量約１００００、花王社製）との混合物に、エポクロスＷＳ−７００およびポイズ５３２Ａの混合比が９５：５となるように変更し、塗布液の固形分を２％に変更した以外は、参考例１と同様に処理して、下塗り層を形成し、次いで、粘着型光学フィルムを作製した。
【０１９８】
参考例５
参考例１の下塗り層の形成における塗布液の調製において、エポクロスＷＳ−７００を、デナトロンＰ５０２ＲＧ（ポリチオフェン系導電ポリマー、ナガセケムテックス社製）に変更し、塗布液の固形分を０．５％に変更した以外は、参考例１と同様に処理して、下塗り層を形成し、次いで、粘着型光学フィルムを作製した。
【０１９９】
実施例６
参考例１の下塗り層の形成における塗布液の調製において、エポクロスＷＳ−７００を、エポクロスＷＳ−７００と、デナトロンＰ５０２ＲＧとの混合物に、エポクロスＷＳ−７００およびデナトロンＰ５０２ＲＧの混合比が１：２となるように変更し、塗布液の固形分を０．７５％に変更した以外は、参考例１と同様に処理して、下塗り層を形成し、次いで、粘着型光学フィルムを作製した。
【０２００】
実施例７
参考例１の下塗り層の形成における塗布液の調製において、エポクロスＷＳ−７００を、エポクロスＷＳ−７００と、ポイズ５３２Ａと、デナトロンＰ５０２ＲＧとの混合物に、エポクロスＷＳ−７００、ポイズ５３２ＡおよびデナトロンＰ５０２ＲＧの混合比が１９０：１０：２５となるように変更し、塗布液の固形分を２．２５％に変更した以外は、参考例１と同様に処理して、下塗り層を形成し、次いで、粘着型光学フィルムを作製した。
【０２０１】
実施例８
参考例１の下塗り層の形成における塗布液の調製において、エポクロスＷＳ−７００を、エポクロスＷＳ−７００と、オルガチックスＺＢ−１２５（塩化ジルコニウム化合物、ＺｒＯ２含有割合１５％、松本製薬工業社製）との混合物に、エポクロスＷＳ−７００およびオルガチックスＺＢ−１２５の混合比が１：２となるように変更し、塗布液の固形分を０．７５％に変更した以外は、参考例１と同様に処理して、下塗り層を形成し、次いで、粘着型光学フィルムを作製した。
【０２０２】
実施例９
参考例１の下塗り層の形成における塗布液の調製において、エポクロスＷＳ−７００を、エポクロスＷＳ−７００と、オルガチックスＴＣ−４００（ジイソプロポキシチタンビス（トリエタノールアミネート）、（Ｃ３Ｈ７Ｏ）２Ｔｉ（Ｃ６Ｈ１４Ｏ３Ｎ）２、Ｔｉ含有割合８％、松本製薬工業社製）との混合物に、エポクロスＷＳ−７００およびオルガチックスＴＣ−４００の混合比が１：２となるように変更し、塗布液の固形分を０．７５％に変更した以外は、参考例１と同様に処理して、下塗り層を形成し、次いで、粘着型光学フィルムを作製した。
【０２０３】
参考例１０
参考例１の下塗り層の形成における塗布液の調製において、エポクロスＷＳ−７００を、エポクロスＷＳ−７００と、ポリメントＳＫ−１０００（エマルションタイプ、アミン水素当量６５０ｇ ｓｏｌｉｄ／ｅｑ．、日本触媒社製）とに、エポクロスＷＳ−７００およびポリメントＳＫ−１０００の混合比が１：１となるように変更し、塗布液の固形分を０．５０％に変更した以外は、参考例１と同様に処理して、下塗り層を形成し、次いで、粘着型光学フィルムを作製した。
【０２０４】
参考例１１
参考例１の水分散型粘着剤組成物の調製において、粘土鉱物の水分散液における粘土鉱物（ルーセンタイトＳＰＮ）を２部（粘土成分の含有重量が０．８部。）に変更した以外は、参考例１と同様にして、水分散型粘着剤組成物を調製し、続いて、粘着型光学フィルムを作製した。
【０２０５】
参考例１２
参考例１の水分散型粘着剤組成物の調製において、粘土鉱物の水分散液における粘土鉱物（ルーセンタイトＳＰＮ）を２０部（粘土成分の含有重量が８部。）に変更した以外は、参考例１と同様にして、水分散型粘着剤組成物を調製し、続いて、粘着型光学フィルムを作製した。
【０２０６】
参考例１３
（粘土鉱物の水分散液の調製）
イオン交換水９５部に、クニピアＦ（スメクタイト、未疎水化処理品、クニミネ工業社製）５部を添加し、その後、ホモジナイザー（特殊機化社製）を用いて、１５分間、７０００（１／ｍｉｎ）で攪拌して分散させることにより、粘土鉱物の水分散液を調製した。
（水分散型粘着剤組成物の調製）
参考例１の水分散型粘着剤組成物の調製において、エマルションの固形分１００部に対して、粘土鉱物の水分散液における粘土鉱物（クニピアＦ）が０．５部となるように、粘土鉱物の水分散液を混合させた以外は、参考例１と同様にして、水分散型粘着剤組成物を調製し、続いて、粘着型光学フィルムを作製した。
【０２０７】
参考例１４
参考例１３の水分散型粘着剤組成物の調製において、粘土鉱物の水分散液における粘土鉱物（クニピアＦ）を１部に変更した以外は、参考例１３と同様にして水分散型粘着剤組成物を調製し、続いて、粘着型光学フィルムを作製した。
【０２０８】
参考例１５
参考例１３の水分散型粘着剤組成物の調製において、粘土鉱物の水分散液における粘土鉱物（クニピアＦ）を２部に変更した以外は、参考例１３と同様にして水分散型粘着剤組成物を調製し、続いて、粘着型光学フィルムを作製した。
【０２０９】
参考例１６
参考例１３の水分散型粘着剤組成物の調製において、粘土鉱物の水分散液における粘土鉱物（クニピアＦ）を４部に変更した以外は、参考例１３と同様にして水分散型粘着剤組成物を調製し、続いて、粘着型光学フィルムを作製した。
【０２１０】
参考例１７
参考例１におけるヘキサメタリン酸ナトリウム０．５部を、アロンＡ−２０８（ポリアクリル酸ナトリウム塩、カルボキシルアニオンの含有量６．５ミリモル／ｇ、東亞合成社製）１部（固形分）に変更した以外は、参考例１と同様にして粘土鉱物の水分散液を調製し、続いて、水分散型粘着剤組成物を調製し、粘着型光学フィルムを作製した。
【０２１１】
参考例１８
参考例１におけるヘキサメタリン酸ナトリウム０．５部を、アクアリックＴＬ−３７（アクリル酸ナトリウム／マレイン酸ナトリウム共重合体、カルボキシルアニオンの含有量６．４ミリモル／ｇ、日本触媒社製）１部（固形分）に変更した以外は、参考例１と同様にして粘土鉱物の水分散液を調製し、続いて、水分散型粘着剤組成物を調製し、粘着型光学フィルムを作製した。
【０２１２】
参考例１９
参考例１におけるヘキサメタリン酸ナトリウム０．５部を、シャロールＡＮ−１０３Ｐ（ポリアクリル酸アンモニウム塩、カルボキシルアニオンの含有量７．９ミリモル／ｇ、第一工業製薬社製）１部（固形分）に変更した以外は、参考例１と同様にして粘土鉱物の水分散液を調製し、続いて、水分散型粘着剤組成物を調製し、粘着型光学フィルムを作製した。
【０２１３】
参考例２０
参考例１におけるヘキサメタリン酸ナトリウム０．５ｇを、ＳＮディスパーサント５０３４（ポリ（メタ)アクリル酸ナトリウム、カルボキシルアニオンの含有量７．０ミリモル／ｇ、サンノプコ社製）１部（固形分）に変更した以外は、参考例１と同様にして粘土鉱物の水分散液を調製し、続いて、水分散型粘着剤組成物を調製し、粘着型光学フィルムを作製した。
【０２１４】
比較例１
参考例１のモノマープレエマルションの調製において、モノ［ポリ（プロピレンオキシド）メタクリレート］リン酸エステルを添加しなかった以外は、参考例１と同様にしてモノマープレエマルションを調製し、また、粘土鉱物の水分散液の調製において、ヘキサメタリン酸ナトリウムを添加しなかった以外は、参考例１と同様にして粘土鉱物の水分散液を調製した。続いて、参考例１と同様にして、水分散型粘着剤組成物を調製し、次いで、粘着型光学フィルムを作製した。
【０２１５】
比較例２
参考例１の粘土鉱物の水分散液の調製において、ヘキサメタリン酸ナトリウムおよびルーセンタイトＳＰＮを添加しなかった以外は、参考例１と同様にして粘土鉱物の水分散液を調製し、続いて水分散型粘着剤組成物を調製し、次いで、粘着型光学フィルムを作製した。
【０２１６】
比較例３
参考例１の水分散型粘着剤組成物の調製において、粘土鉱物の水分散液における粘土鉱物（ルーセンタイトＳＰＮ）を３０部（粘土成分の含有重量が１２部。）に変更した以外は、参考例１と同様にして水分散型粘着剤組成物を調製し、続いて、粘着型光学フィルムを作製した。
【０２１７】
参考例１〜５、実施例６〜９、参考例１０〜２０および比較例１〜３における水分散型粘着剤組成物および下塗り層の塗布液の配合処方を、表１および表２に示す。なお、表１および表２における水分散型粘着剤組成物の配合処方の欄の数値は、特に単位を明記する場合を除き、配合部数を示す。
【０２１８】
【表１】
0005250307.tif 000008
【０２１９】
【表２】
0005250307.tif 000009
【０２２０】
なお、表１および表２中の略号を以下に示す。
ＰＡＭ−２００：Ｓｉｐｏｍｅｒ ＰＡＭ−２００（モノ［ポリ（プロピレンオキシド）メタクリレート］リン酸エステル（プロピレンオキシドの平均重合度約５．０）、ローディア日華社製）
ＫＢＭ−５０３：３−メタクリロイルオキシプロピル−トリメトキシシラン（信越化学社製）
ルーセンタイトＳＰＮ：部分的に疎水化処理されたスメクタイト（コープケミカル社製）クニピアＦ：スメクタイト（未疎水化処理品、クニミネ工業社製）
エポクロスＷＳ−７００：オキサゾリン基含有アクリル系ポリマー（水溶液タイプ、固形分２５％、主鎖：アクリル系、ｐＨ７〜９、オキサゾリン価２２０ｇ ｓｏｌｉｄ／ｅｑ．、日本触媒社製）
ポイズ５３２Ａ：アクリル酸／マレイン酸共重合体アンモニウム塩（数平均分子量約１００００、花王社製）
デナトロンＰ５０２ＲＧ：ポリチオフェン系導電ポリマー（ナガセケムテックス社製）
ＺＢ−１２５：オルガチックスＺＢ−１２５（塩化ジルコニウム化合物、ＺｒＯ２含有割合１５％、松本製薬工業社製）
ＴＣ−４００：オルガチックスＴＣ−４００（ジイソプロポキシチタンビス（トリエタノールアミネート）、（Ｃ３Ｈ７Ｏ）２Ｔｉ（Ｃ６Ｈ１４Ｏ３Ｎ）２、Ｔｉ含有割合８％、松本製薬工業社製）
ポリメントＳＫ−１０００：ポリアミン系ポリマー（エマルションタイプ、アミン水素当量６５０ｇ ｓｏｌｉｄ／ｅｑ．、日本触媒社製）
アロンＡ−２０８：（ポリアクリル酸ナトリウム塩、ポリカルボン酸塩系分散剤、カルボキシルアニオン含有量６．５ミリモル／ｇ、東亞合成社製
ヘキサメタリン酸Ｎａ：ヘキサメタリン酸ナトリウム、リン酸塩系分散剤、キシダ化学社製
アクアリックＴＬ−３７：アクリル酸ナトリウム／マレイン酸ナトリウム共重合体、ポリカルボン酸塩系分散剤、カルボキシルアニオン含有量６．４ミリモル／ｇ、日本触媒社製
シャロールＡＮ−１０３Ｐ：ポリアクリル酸アンモニウム塩、ポリカルボン酸塩系分散剤、カルボキシルアニオン含有量７．９ミリモル／ｇ、第一工業製薬社製
ＳＮディスパーサント５０３４：ポリ（メタ)アクリル酸ナトリウム（ポリカルボン酸塩系分散剤）、カルボキシルアニオン含有量７．０ミリモル／ｇ、サンノプコ社製
（評価）
１）ヘイズ
各実施例、各参考例および比較例において得られた粘着型光学フィルム（薄型偏光フィルムを用いた粘着型光学フィルム）を、５０×５０ｍｍに切断し、ヘイズコンピューターＨＺ−１（スガ試験機社）により、ヘイズを測定した。その結果を表３および表４に示す。
【０２２１】
２）粘着剤層と光学フィルムの初期密着力
各実施例、各参考例および各比較例の粘着型光学フィルム（薄型偏光フィルムを用いた粘着型光学フィルム）を、２５×１２０ｍｍの大きさに切断し、これをサンプルとした。このサンプルの離型フィルムを剥離し、サンプルの粘着面（粘着剤層の表面）にポリプロピレン多孔質膜を貼着し、このポリプロピレン多孔質膜上に粘着テープ（Ｎｏ．３１Ｂ、日東電工社製）を貼着して補強した後、２４時間、２３℃、６０％ＲＨの雰囲気下で放置した。その後、放置後の粘着型光学フィルムの背面（粘着型光学フィルムの光学フィルム側の面）に、ＳＵＳ３０４鋼板を両面テープを用いて貼り付け、引張試験機により１８０°方向に３００ｍｍ／ｍｉｎの速度で、ポリプロピレン多孔質膜と、サンプルとの界面で剥離し、剥離応力を測定した。測定後、粘着剤層がポリプロピレン多孔質膜側に付着しているか否か、つまり、光学フィルム破壊の有無を確認した。その結果を表３および表４に示す。
【０２２２】
３）粘着剤層と光学フィルムとの経時密着力
各実施例、各参考例および各比較例の粘着型光学フィルム（薄型偏光フィルムを用いた粘着型光学フィルム）を、２５×１２０ｍｍの大きさに切断し、これをサンプルとした。このサンプルを、５０℃および６０℃／９０％ＲＨの雰囲気下で、それぞれ７日間エージングした。エージング後、サンプルの離型フィルムを剥離し、サンプルの粘着面（粘着剤層の表面）にポリプロピレン多孔質膜を貼着し、このポリプロピレン多孔質膜上に粘着テープ（Ｎｏ．３１Ｂ、日東電工社製）を貼着して補強した後、１日間、２３℃、６０％ＲＨの雰囲気下で放置した。その後、放置後の粘着型光学フィルムの背面（粘着型光学フィルムの光学フィルム側の面）に、ＳＵＳ３０４鋼板を両面テープを用いて貼り付け、引張試験機により１８０°方向に３００ｍｍ／ｍｉｎの速度で、ポリプロピレン多孔質膜と、サンプルとの界面で剥離し、剥離応力を測定した。測定後、粘着剤層がポリプロピレン多孔質膜側に付着しているか否か、つまり、光学フィルム破壊の有無を確認した。その結果を表３および表４に示す。
【０２２３】
４）粘着型光学フィルムの接着固定性
各実施例、各参考例および比較例の２種類の粘着型光学フィルム（薄型偏光フィルムおよび標準型偏光フィルム）を、２３０×３１０ｍｍの大きさに切断した後、離型フィルムを剥離し、これを、厚さ０．７ｍｍのガラス板（コーニング＃１７３７、コーニング社製）に貼着し、５０℃、０．５ＭＰａのオートクレーブ中に１５分間放置した後、９０℃の雰囲気下、および、６０℃／９０％ＲＨの雰囲気下で、それぞれ５００時間加熱して、粘着型光学フィルムの剥がれの有無を目視観察により確認した。その結果を表３および表４に示す。
【０２２４】
なお、粘着型光学フィルムの剥がれの有無については、下記の基準で確認した。
【０２２５】
◎：剥がれなどの変化が認められなかった
○：粘着型光学フィルムの端部に０．５ｍｍ未満の剥がれが認められた
△：粘着型光学フィルムの端部に０．５ｍｍ以上１ｍｍ未満の剥がれが認められた
×：粘着型光学フィルムの端部に１ｍｍ以上の剥がれが認められた
５）光学フィルムの表面抵抗
各実施例、各参考例および比較例において、下塗り層のみを設けた光学フィルム（薄型偏光フィルムであって、粘着剤層を形成する前の粘着型薄型偏光フィルム）を、２３℃、６０％ＲＨの雰囲気下で放置した。その後、２３℃、６０％ＲＨの雰囲気下で、抵抗率計（Ｈｉｒｅｓｔａ−Ｕｐ ＭＣＰ−ＨＴ４５０、（株）ダイアインスツルメンツ製）により、ＵＳＲプローブを用い、印加電圧５００Ｖで、１分後における、光学フィルムの下塗り層を形成した面の表面抵抗を測定した。その結果を表３および表４に示す。
【０２２６】
【表３】
0005250307.tif 000010
【０２２７】
【表４】
0005250307.tif 000011
【図面の簡単な説明】
【０２２８】
【図１】本発明の粘着型光学フィルムの一実施形態の拡大断面図である。
【符号の説明】
【０２２９】
１    光学フィルム
２    下塗り層
３    粘着剤層
４    離型シート
【図１】
0005250307.tif 000012